(57)【要約】【課題】発熱部品を効率よく冷却する。【解決手段】液晶ユニット５６を覆う液晶ユニットカバー５４には、送風ファン７０と、冷却パイプ７２とが取り付けられている。送風ファン７０は、開口部７４へ向けて送風し、液晶ユニットカバー５４内の熱気を外部へ排出させる。冷却パイプ７２は、一端部８２と他端部８４とが液晶ユニットカバー５４の外部に配置され、中間部８６が液晶ユニットカバー５４内を通されている。中間部８６は、送風ファン７０からの風が当たるようになっている。中間部８６では、一端部８２から取り込んだ外気と液晶ユニットカバー５４内の熱気との間で熱交換が行われる。これにより、液晶ユニットカバー５４内が冷却される。【選択図】図４
2008188210.tif 000002
【特許請求の範囲】
【請求項１】
遊技機本体の背面側に配置された発熱部品を覆う背面カバーを備えた遊技機において、
前記背面カバー内に配置され、前記背面カバー内の熱気を外部へ排出する送風ファンと、
一端部及び他端部が前記背面カバー外に配置されるとともに、前記一端部と前記他端部との間の中間部分が前記送風ファンからの風が当たるように前記カバー内に通されており、前記一端部から取り入れた外気を前記他端部から排出しながら、前記背面カバー内の熱気と前記外気との間で熱交換を行って前記背面カバー内を冷却する冷却パイプとを備えたことを特徴とする遊技機。
【請求項２】
前記送風ファンが、前記背面カバーに取り付けられていることを特徴とする請求項１記載の遊技機。
【発明の詳細な説明】
【技術分野】
【０００１】
本発明は、パチンコ機やスロットマシンなどの遊技機に関するものである。
【背景技術】
【０００２】
パチンコ機には、本体の背面側に電源回路、液晶ディスプレイ、液晶ディスプレイを制御して各種演出表示を行う表示制御基板などの発熱部品が搭載されている。パチンコ機では、これら発熱部品を覆うカバー内の熱気を外部に排出するための送風ファンが設けられている。（例えば、下記特許文献１、２参照）。
【特許文献１】特開２００３−６２２８３号公報
【特許文献２】特開２００４−３０３７８５号公報
【発明の開示】
【発明が解決しようとする課題】
【０００３】
しかしながら、近年、液晶ディスプレイの大型化や演出表示の複雑化などに伴って発熱部品がより高温になってしまい、従来の装置では十分に冷却できないといった問題があった。
【０００４】
本発明は、上記背景を鑑みてなされたものであり、発熱部品を従来よりも効率よく冷却できる遊技機を提供することを目的としている。
【課題を解決するための手段】
【０００５】
上記目的を達成するために、本発明の遊技機は、遊技機本体の背面側に配置された発熱部品を覆う背面カバーを備えた遊技機において、前記背面カバー内に配置され、前記背面カバー内の熱気を外部へ排出する送風ファンと、一端部及び他端部が前記背面カバー外に配置されるとともに、前記一端部と前記他端部との間の中間部分が前記送風ファンからの風が当たるように前記カバー内に通されており、前記一端部から取り入れた外気を前記他端部から排出しながら、前記背面カバー内の熱気と前記外気との間で熱交換を行って前記背面カバー内を冷却する冷却パイプとを備えたことを特徴としている。
【０００６】
前記送風ファンが、前記背面カバーに取り付けられていることが好ましい。
【発明の効果】
【０００７】
本発明によれば、背面カバー内に冷却パイプを通し、この冷却パイプに送風ファンからの風を当てるようにしたので、従来よりも効率よく発熱部品を冷却できる。
【０００８】
また、背面カバーは、遊技機の機種によらず共通で使用できる。このため、背面カバーに送風ファンを取り付けるようにすれば、遊技機本体側（液晶ユニットや電源回路など）に送風ファンを取り付ける場合と比較して、送風ファンを再利用できるので、機種変更時のコストを抑えることができる。
【発明を実施するための最良の形態】
【０００９】
図１、図２において、パチンコ機１０は、本体１２の前面に上扉１４と下扉１６とが開閉自在に取り付けられている。上扉１４にはスピーカ１８が設けられている他、ガラス２０が組み込まれており、その奥側に設けられた遊技盤２２が視認可能となっている。下扉１６には受け皿２４が設けられており、賞球は受け皿２４に払い出される。また、下扉１６には受け皿２４の下方に発射ハンドル２６が取り付けられており、遊技者が発射ハンドル２６を操作することで遊技盤２２の下方に設けられた発射装置２８が駆動され、遊技盤２２の前面に遊技球が発射される。
【００１０】
遊技盤２２の前面には、流下する遊技球の動きに変化を与える遊技釘（図示せず）の他、袖入賞口３０、３２、始動入賞口３４、役物３６が設けられている。袖入賞口３０、３２に遊技球が入賞すると、予め決められた個数の遊技球（例えば、６個）が賞球として払い出される。始動入賞口３４に遊技球が入賞すると、賞球の払い出し（例えば、３個）に加え、当たり又はハズレを決定する当たり抽選が行われる。
【００１１】
役物３６には、液晶ディスプレイ３８が設けられ、この液晶ディスプレイ３８には、当たり抽選の結果が表示される。液晶ディスプレイ３８には、始動入賞口３４に遊技球が入賞すると、例えば１列が０〜９の数字からなる３列の図柄の変動表示が開始され、図柄が上から下へスクロールする。図柄は１列ずつ順次停止し、全ての図柄が停止したときに同一図柄が揃っていると当たりとなり、それ以外ではハズレとなる。図柄の変動表示は複数種類の変動パターンから抽選で決定された変動パターンで行われる。変動パターンはその種類に応じて当たり期待度が異なっている。
【００１２】
当たりに当選すると当たりモードに移行し、アタッカ４０が開放される。アタッカ４０が開放されるとその内面で遊技球の大半が大入賞口４２に案内され、多数の賞球を得ることができる。アタッカ４０は大入賞口４２に所定個数（例えば１０個）の遊技球が入賞するか又は開放時間が、例えば３０秒になると閉じられ、これにより第１ラウンドが終了する。当たりモードではアタッカ４０の開閉が繰り返されて第１５ラウンドで終了する。
【００１３】
図３に示すように、本体１２の背面側には、第１基板カバー５０、第２基盤カバー５２、液晶ユニットカバー（背面カバー）５４が取り付けられている。第１基板カバー５０は、電源回路を搭載した電源基板を覆うように設けられ、第２基盤カバー５２は、賞球の払い出しを制御する払い出し制御基板を覆うように設けられている。
【００１４】
図４、図５に示すように、液晶ユニットカバー５４は、液晶ユニット（発熱部品）５６を覆うように設けられている。液晶ユニット５６は、液晶ディスプレイ３８と、この液晶ディスプレイ３８を制御して各種演出表示を行う表示制御回路５８を搭載した表示制御基板６０とがケース６２内に収められたものである。ケース６２は、パチンコ機１０の本体１２を構成する各種部品が取り付けられる本体ベース６４に固定される。ケース６２の前面、及び背面にはそれぞれ開口が形成されている。前面側の開口にはカバーガラス６６が設けられている。また、背面側の開口からは、表示制御回路５８に取り付けられたヒートシンク６８が露呈されている。
【００１５】
また、液晶ユニットカバー５４には、送風ファン７０と、冷却パイプ７２とが取り付けられている。液晶ユニットカバー５４の背面側の壁７３には、ヒートシンク６８に対応する位置に、複数の開口を有する開口部７６が形成されている。送風ファン７０は、略矩形に形成されたファン本体７８の４隅にそれぞれステー８０が設けられており、このステー８０が壁７３の内側にネジ止めされて固定される。このとき、ファン本体７０がヒートシンク６８と開口部７６との間に配置される。そして、送風ファン７０は、開口部７６へ向けて送風し、液晶ユニットカバー５４内の熱気を外部へ排出することで液晶ユニット５６を冷却する。
【００１６】
冷却パイプ７２は、一端部８２が液晶ユニットカバー５４の下方に配置され、他端部８４が液晶ユニットカバー５４の上方に配置され、この一端部８２と他端部８４との間の中間部８６が液晶ユニットカバー５４内を通されている。一端部８２は、冷却パイプ７２内に外気を取り込むための取り入れ口として機能し、他端部８４は、冷却パイプ７２内に取り込まれた外気を排出する排出口として機能する。本実施形態では、一端部８２を第１基板カバー５０から遠い位置に配置することによって、電源基板からの熱気が冷却パイプ７２内に入り込まないようにしている。
【００１７】
中間部８６は、ファン本体７８と開口部７６との間に形成された隙間を通るように途中で略コ字形に屈曲され、送風ファン７０からの風が当たるようになっている。そして、この中間部８６を介して、一端部８２から取り入れられた外気と液晶ユニットカバー５４内の熱気との間で熱交換が行われる。これにより、液晶ユニットカバー５４内の温度を下げ、液晶ユニット５６を冷却できる。また、熱交換により高温となった冷却パイプ７２内の外気は他端部８４から排出され、これに伴い新たな外気が一端部８２から冷却パイプ７２内に取り入れられる。
【００１８】
このように、パチンコ機１０によれば、送風ファン７０と冷却パイプ７２とを設けたので、液晶ユニット５６を効率よく冷却することができる。また、パチンコ機の機種によらず流用可能な液晶ユニットカバー５４に送風ファン７０及び冷却パイプ７２を取り付けるようにしたので、機種変更時に送風ファン７０や冷却パイプ７２を交換する必要がない。これにより、機種変更時のコストを抑えることができる。
【００１９】
なお、本発明は、冷却パイプを設けることによって、発熱部品を効率よく冷却できればよいので、細部の構成は上記実施形態に限定されるものではない。例えば、上記実施形態では、外気を取り入れる取り入れ口及び取り入れた外気を排出する排出口がそれぞれ１つずつ設けられた冷却パイプを用いる例で説明をしたが、本発明はこれに限定されるものではない。取り入れ口及び排出口の数は自由に設定できるので、取り入れ口及び排出口が複数設けられた冷却パイプを用いてもよい。
【００２０】
また、上記実施形態では、１本の冷却パイプを設ける例で説明をしたが、複数本の冷却パイプを設けてもよい。さらに、取り入れ口と排出口は任意の位置に配置できる。ただし、冷却パイプ内にできるだけ冷たい外気を取り入れるといった観点から、取り入れ口は、できるだけ下方、かつ、発熱部品から遠い位置に配置することが好ましい。また、例えば、冷却パイプの表面に突起やフィンなどを設けるといったことも考えられる。こうすれば、冷却パイプ内に取り入れられた外気と、液晶ユニットカバー内の熱気との間でより効率よく熱交換を行うことができる。
【００２１】
さらに、上記実施形態では、液晶ユニットを覆う液晶ユニットカバーに送風ファンと冷却パイプとを設ける例で説明をしたが、本発明はこれに限定されるものではない。例えば、電源基板を覆う第１基板カバーに、送風ファンと冷却パイプとを設けてもよい。もちろん、第２基板カバーに、送風ファンと冷却パイプとを設けてもよい。また、液晶ユニット、電源基板、払い出し制御基板以外の発熱部品を覆うカバーに、送風ファンと冷却パイプとを設けてもよい。さらに、発熱部品を本体の背面側から覆うカバーとしては、上述した形態に限定されず、例えば、前述した液晶ユニットカバー、第１、第２基板カバーを一体化したものや、パチンコ機の背面全体を覆う大型のものなど各種タイプのものが考えられる。本発明は、これら各種タイプのカバーに適用できる。
【００２２】
また、上記実施形態では、本発明をパチンコ機に適用した例で説明をしたが、これに限定されるものではない。本発明をスロットマシンなどパチンコ機以外の遊技機に適用してもよい。
【図面の簡単な説明】
【００２３】
【図１】パチンコ機の前面側外観図である。
【図２】上扉と下扉を開放した状態を示すパチンコ機の前面側外観図である。
【図３】背面側外観図である。
【図４】液晶ユニットが液晶ユニットカバーにより覆われている様子を表す断面図である。
【図５】液晶ユニットカバーに送風ファンと冷却パイプが取り付けられている様子を表す斜視図である。
【符号の説明】
【００２４】
１０  パチンコ機
１２  本体
３８  液晶ディスプレイ
５０  第１基板カバー
５２  第２基盤カバー
５４  液晶ユニットカバー（背面カバー）
５６  液晶ユニット（発熱部品）
５８  表示制御回路
６０  表示制御基板
７０  送風ファン
７２  冷却パイプ
８２  一端部
８４  他端部
８６  中間部
【図１】
2008188210.tif 000003
【図２】
2008188210.tif 000004
【図３】
2008188210.tif 000005
【図４】
2008188210.tif 000006
【図５】
2008188210.tif 000007